(57)【要約】【課題】同じティーバッグを数回に亘って使用してお茶などを飲む場合において、皿等の容器がない場合であっても、同じティーバッグを数回に亘って使用することができる新規な飲料用容器を提供する。【解決手段】少なくとも底部２ａとこの底部２ａから起立してなる胴部２ｂとを有し、上部は解放されてなり、内部に飲料が収容される容器本体２と、この容器本体２の内側又は外側に形成され、上部は解放されてなり、日本茶，紅茶等の茶葉が封入されたバッグＢが内側に収容される収容空間を形成するポケット４と、を備え、上記ポケット４の底部４ｂは、上記容器本体２の底部２ａよりも上方に位置してなるとともに、該ポケット４の底部４ｂ又は上記胴部２ｂには、上記バッグＢに含まれた湯水を該ポケット４内から排出する透孔４ｅが形成されてなる。【選択図】        図４
0003147767.tif 000002
【実用新案登録請求の範囲】
【請求項１】
少なくとも底部とこの底部から起立してなる胴部とを有し、上部は解放されてなり、内部に飲料が収容される容器本体と、
この容器本体の内側又は外側に形成され、上部は解放されてなり、日本茶、紅茶等の茶葉が封入されたバッグが内側に収容される収容空間を形成するポケットと、を備え、
上記ポケットの底部は、上記容器本体の底部よりも上方に位置してなるとともに、該ポケットの底部又は上記胴部には、上記バッグに含まれた湯水を該ポケット内から排出する透孔が形成されてなることを特徴とする飲料用容器。
【請求項２】
前記ポケットは、前記容器本体の内側に形成されてなるとともに、該ポケットによる収容空間は、前記容器本体を構成する胴部の一部と、該容器本体の内側を仕切る仕切り部とにより形成されてなり、
上記仕切り部の上端は、上記胴部の上端よりも下方に位置してなることを特徴とする請求項１記載の飲料用容器。
【請求項３】
前記ポケットの底部には、前記バッグに含まれた湯水を該ポケット内から排出する透孔を閉塞する網状体が配置され、又は、前記胴部には上記バッグに含まれた湯水を該ポケット内から排出する透孔を閉塞する網体が配置されてなることを特徴とする請求項１又は２記載の何れかの飲料用容器。
【請求項４】
前記容器本体を構成する胴部の外側には把手が形成されてなるとともに、
この把手の形成位置と前記ポケットの形成位置との関係は、該容器本体の中心から上記把手の形成位置までの方向と、該容器本体の中心から上記ポケットの形成位置までの方向とが９０度とされてなる関係であるとともに、
上記ポケットの配置位置に対向する胴部の上端側には、該胴部の他の部位よりも該ポケットから離間する方向に湾曲してなる膨出した膨出部が形成されてなることを特徴とする請求項１，２又は３記載の何れかの飲料用容器。
【考案の詳細な説明】
【技術分野】
【０００１】
本考案は、日本茶や紅茶を飲む際に使用される飲料用容器に関し、特に、内部に日本茶や紅茶又はその他の茶葉が封入されたバッグから抽出された飲料を飲む際に使用される飲料用容器に関するものである。
【背景技術】
【０００２】
近年、例えば日本茶や紅茶等を飲む場合、ティーバッグを用いる場合が多い。このティーバッグは、通水性又は透水性を有するシート状の素材により内部に日本茶や紅茶その他の茶葉が封入されたものであり、通常、紐等が固定されているが多い。こうしたティーバッグを用いて日本茶や紅茶を飲む場合には、該ティーバッグの紐を把持しながら、容器内に入れ、その上でお湯を注ぎ、適当な時間が経過した場合には、上記紐を把持しながら容器内から取り出し、そのまま廃棄するか、数回に亘って同じティーバッグを使用する場合には、皿等の容器に入れておくことが多い。
【考案の開示】
【考案が解決しようとする課題】
【０００３】
しかしなら、同じティーバッグを数回に亘って使用してお茶などを飲む場合、上記皿等の容器が常に用意されているとは限らない。したがって、同じティーバッグを使用して再度お茶等を飲みたい場合であっても、廃棄せざるを得なかったり、そのまま容器内にティーバッグを残し、濃度の高いお茶を飲まざるを得なかったりする場合が多い。
【０００４】
そこで、本考案は、上述した課題を解決するために提案されたものであって、同じティーバッグを数回に亘って使用してお茶などを飲む場合において、皿等の容器がない場合であっても、同じティーバッグを数回に亘って使用することができる新規な飲料用容器を提供することを目的とするものである。
【課題を解決するための手段】
【０００５】
上述した目的を達成するため、本考案（請求項１記載の考案）は、少なくとも底部とこの底部から起立してなる胴部とを有し、上部は解放されてなり、内部に飲料が収容される容器本体と、この容器本体の内側又は外側に形成され、上部は解放されてなり、日本茶、紅茶等の茶葉が封入されたバッグが内側に収容される収容空間を形成するポケットと、を備え、上記ポケットの底部は、上記容器本体の底部よりも上方に位置してなるとともに、該ポケットの底部又は上記胴部には、上記バッグに含まれた湯水を該ポケット内から排出する透孔が形成されてなることを特徴とするものである。
【０００６】
この考案に係る飲料用容器では、日本茶、紅茶等の茶葉が封入されたバッグを容器本体内に入れ、該容器本体内にお湯を注ぎ、適当な時間が経過した後に容器本体内から取り出されたバッグを上記ポケット内に収容する。このとき、上記ポケットの底部は、上記容器本体の底部よりも上方に位置してなることから、注いだお湯の量にもよるが、バッグにはお湯が浸からないか、或いは一部浸かっている場合であっても、使用者がお茶等の飲料を飲むことにより、バッグが浸からない状態となる。したがって、ポケットの底部と、容器本体の底部との距離は、通常１回飲用するお茶や紅茶の容積の高さよりも長い距離とすることが好ましい。また、この考案では、上記ポケットの底部又は上記胴部には、上記バッグに含まれた湯水を該ポケット内から排出する透孔が形成されてなることから、バッグに多量の湯水が含まれている場合であっても、バッグ内の茶葉が必要以上にふやけてしまうこともない。したがって、この考案によれば、皿等の容器がない場合であっても、同じティーバッグを数回に亘って使用することができる。
【０００７】
なお、この第１の考案では、上記ポケットは、容器本体の内側に形成されているものであっても、外側に形成されてなるものであっても良い。この飲料用容器がセラミック材料により成形され、容器本体とポケットとをそれぞれ別個に泥漿による鋳込み成形をし、それぞれ成形された中間成形体である容器本体とポケットとを互いに固定し、乾燥工程及び焼成工程などを経て製造される場合（以下、陶器として製造する場合という。）においては、上記ポケットを容器本体の外側に固定する作業は、内側に形成する場合に比べて簡単なものとなる。また、本考案を構成する透孔は、上記ポケットが容器本体の内側に形成されている場合には、該ポケットの底部に形成され、容器本体の外側に形成されている場合には、該容器本体を構成する胴部に形成する。
【０００８】
また、第２の考案（請求項２記載の考案）は、上記第１の考案において、前記ポケットは、前記容器本体の内側に形成されてなるとともに、該ポケットによる収容空間は、前記容器本体を構成する胴部の一部と、該容器本体の内側を仕切る仕切り部とにより形成されてなり、上記仕切り部の上端は、上記胴部の上端よりも下方に位置してなることを特徴とするものである。
【０００９】
この第２の考案では、仕切り部の上端は、上記胴部の上端よりも下方に位置してなることから、使用者が飲料を飲む際に、上記仕切り部の上端に鼻が当たってしまうことを防止することができる。なお、こうした使用時において鼻が当たることを防止ために、容器本体の形状として、飲料を飲む際において使用者の口が付けられる部位のみを、上記ポケットから離間した形状にすることも想定されるが、この飲料用容器を陶器として製造する場合、従来使用している容器本体を成形する成形型を使用・流用することはできない。したがって、この飲料用容器を陶器として製造する場合において、この第２の考案によれば、単にポケットとして機能する部材の成形型のみを新たに作成することにより、製造することができるので、製造コストを低減することが可能となる。
【００１０】
また、第３の考案（請求項３記載の考案）は、上記第１又は第２の考案の何れかにおいて、前記ポケットの底部には、前記バッグに含まれた湯水を該ポケット内から排出する透孔を閉塞する網状体が配置され、又は、前記胴部には上記バッグに含まれた湯水を該ポケット内から排出する透孔を閉塞する網体が配置されてなることを特徴とするものである。
【００１１】
この第３の考案では、前記ポケットの底部には、前記バッグに含まれた湯水を該ポケット内から排出する透孔を閉塞する網状体が配置され、又は、前記胴部には上記バッグに含まれた湯水を該ポケット内から排出する透孔を閉塞する網体が配置されてなることから、前記第１の考案と同じように、皿等の容器がない場合であっても、同じティーバッグを数回に亘って使用することができるばかりではなく、上記ポケット内に日本茶や紅茶等の茶葉を直接収容し、該ポケット内にお湯を注ぐことによりお茶等の飲料を飲用することも可能となる。
【００１２】
また、第４の考案（請求項４記載の考案）は、前記容器本体を構成する胴部の外側には把手が形成されてなるとともに、この把手の形成位置と前記ポケットの形成位置との関係は、該容器本体の中心から上記把手の形成位置までの方向と、該容器本体の中心から上記ポケットの形成位置までの方向とが９０度とされてなる関係であるとともに、上記ポケットの配置位置に対向する胴部の上端側には、該胴部の他の部位よりも該ポケットから離間する方向に湾曲してなる湾曲部が形成されてなることを特徴とするものである。
【００１３】
この第４の考案では、把手の形成位置と前記ポケットの形成位置との関係は、該容器本体の中心から上記把手の形成位置までの方向と、該容器本体の中心から上記ポケットの形成位置までの方向とが９０度とされてなる関係であることから、把手を把持して用いれば、（使用者の利き手の違いは別として）必ず飲料を飲用する際に口を付ける部位の反対方向にポケットが位置した状態で使用されることから、誤ってポケット内に収容したバッグが落下する危険性を防止することができる。また、この考案では、ポケットの配置位置に対向する胴部の上端側には、該胴部の他の部位よりも該ポケットから離間する方向に湾曲してなる湾曲部が形成されてなることから、使用の際に使用者の鼻が当たってしまうことを防止することができる。
【考案の効果】
【００１４】
上記第１の考案（請求項１記載の考案）に飲料用容器によれば、ポケットの底部は、容器本体の底部よりも上方に位置してなることから、（注いだお湯の量にもよるが）バッグにはお湯が浸からないか、或いは一部浸かっている場合であっても、使用者がお茶等の飲料を飲むことにより、バッグが浸からない状態となることから、皿等の容器がない場合であっても、同じバッグを数回に亘って使用することができる。また、この考案では、上記ポケットの底部又は上記胴部には、上記バッグに含まれた湯水を該ポケット内から排出する透孔が形成されてなることから、バッグ内に多量の湯水が含まれている場合であっても、バッグ内の茶葉が必要以上にふやけてしまうこともない。したがって、同じバッグを数回に亘って使用する場合でも、美味しくお茶を飲用することができる。
【００１５】
また、第２の考案（請求項２記載の考案）では、仕切り部の上端は、上記胴部の上端よりも下方に位置してなることから、使用者が飲料を飲む際に、上記仕切り部の上端に鼻が当たってしまうことを防止することができる。
【００１６】
また、第３の考案（請求項３記載の考案）では、ポケットの底部又は前記胴部には、多数の透孔が形成された網状体が配置されてなることから、前記第１の考案と同じように、皿等の容器がない場合であっても、同じティーバッグを数回に亘って使用することができるばかりではなく、上記ポケット内に日本茶や紅茶等の茶葉を直接収容し、該ポケット内にお湯を注ぐことによりお茶等の飲料を飲用することも可能となる。
【００１７】
また、第４の考案（請求項４記載の考案）では、把手の形成位置と前記ポケットの形成位置との関係は、該容器本体の中心から上記把手の形成位置までの方向と、該容器本体の中心から上記ポケットの形成位置までの方向とが９０度とされてなる関係であることから、把手を把持して用いれば、（使用者の利き手の違いは別として）必ず飲料を飲用する際に口を付ける部位の反対方向にポケットが位置した状態で使用されることから、誤ってポケット内に収容したバッグが落下する危険性を防止することができる。また、この考案では、ポケットの配置位置に対向する胴部の上端側には、該胴部の他の部位よりも該ポケットから離間する方向に湾曲してなる湾曲部が形成されてなることから、使用の際に使用者の鼻が当たってしまうことを防止することができる。
【考案を実施するための最良の形態】
【００１８】
以下、本考案を実施するための最良の形態に係る飲料用容器１を、図面を参照しながら詳細に説明する。先ず、第１の実施の形態に係る飲料用容器について詳細に説明する。
【００１９】
この第１の実施の形態に係る飲料用容器１は、セラミック材料を用いて成形され、乾燥工程、施油工程、焼成工程を経て製造されてなるものであり、図１及び図２に示すように、容器本体２と、この容器本体２の外側に形成された把手３と、上記容器本体２の内側に形成されたポケット４とを備えてなるものである。なお、この飲料用容器１は、所謂マグカップに本考案を適用したものであるとともに、右利きの使用者用の（右手で以下に説明する把手を用いてお茶を飲用する）飲料用容器である。
【００２０】
上記容器本体２は、円形状に成形された底部２ａ（図２参照）と、この底部２ａの外周から起立してなるとともに上端側中途部に亘って徐々に大径状に成形されてなる胴部２ｂとから構成されており、上部は解放されている。なお、この胴部２ｂの上端側中途部から上端には、この容器本体２の中心から離間するように湾曲してなる第１ないし第４の湾曲部２ｃ，２ｄ，２ｅ，２ｆが形成されている。なお、これら第１ないし第４の湾曲部２ｃ，２ｄ，２ｅ，２ｆは、何れも等間隔で且つ同じ形状に成形されており、第１の湾曲部２ｃは、本考案を構成する膨出部である。すなわち、上記第１の湾曲部２ｃと上記第３の湾曲部２ｅとは互いに対峙した位置に形成され、上記第２の湾曲部２ｄと上記第４の湾曲部２ｆも互いに対峙した位置に形成されている。
【００２１】
また、上記胴部２ｂの外側面の上端側中途部には、上記把手３が固定されている。この把手３は、上記第２の湾曲部２ｄの形成位置よりやや下方に固定されてなるものであって、使用者の図示しない人差し指が挿入される円形状の空間３ａ（図１参照）と中指が係止される係止突起３ｂが一体成形されたものである。
【００２２】
そして、本実施の形態に係る飲料用容器１では、上記容器本体２の内側にポケット４が形成されている。このポケット４は、図４に示すように、ティーバッグＢを収容する収容空間４ａを内側に有してなるものであり、この収容空間４ａは、上記容器本体２の内側を仕切る仕切り部４ａの内側面と、上記胴部２ｂの上端側に形成された第３の湾曲部２ｅの内側面とにより形成され、上部は解放されている。そして、上記仕切り部４ｂは、細長状の底部４ｃと、この底部４ｃから湾曲しながら起立してなる側部４ｄとから構成され、上記底部４ｃには、円形状の透孔４ｅが形成されている。なお、上記ポケット４の底部４ｃの形成位置は、図３に示すように、上記容器本体２の底部２ａよりも上方に位置しており、該底部２ａの上面から上記ポケット４の底部４ｃの下面までの距離は、使用者が通常１回に飲用する飲料の容積の高さに対応した距離（長さ）に設定されている。また、上記仕切り部４ｂを構成する側部４ｃの上端位置は、上記胴部２ｂの上端位置よりも低い位置とされている。
【００２３】
なお、上述したように、上記把手３は、第２の湾曲部２ｄの形成位置に固定され、上記ポケット４は、上記第３の湾曲部２ｅの形成位置に形成されていることから、換言すれば、上記把手３の形成位置と上記ポケット４の形成位置との関係は、該容器本体２の中心から上記把手３の形成位置までの方向と、該容器本体２の中心から上記ポケット４の形成位置までの方向とが９０度とされてなる関係である。また、上記第１の湾曲部２ｃは、上記ポケット４の配置位置に対向する胴部２ｂの上端側において、該胴部２ｂの他の部位よりも該ポケット４から離間する方向に湾曲している。
【００２４】
以下、上記飲料用容器１の使用方法について簡単に説明する。先ず、上記容器本体２内にティーバッグＢを収容し、上方から図示しないポットややかんからお湯を注ぎ込む。この際のお湯の量は、上記ポケット４の底部４ｂ以上とはしない。そして、所定の時間が経過すると、上記ティーバッグＢに封入された日本茶、紅茶等の茶葉からエキスが抽出され、飲料としてのお茶（日本茶、紅茶その他の茶飲料）となる。その後、使用者は、上記ティーバッグＢ（に形成された紐Ｒ）を把持して、容器本体２内からティーバッグＢを取り除き、図４に示すように、上記ポケット４内に収容させる。このとき、容器本体２内に注がれたお湯の量は、上記ポケット４の底部４ｃ以上の量ではないことから、ポケット４内に収容されたティーバッグＢは、お茶（日本茶、紅茶その他の茶飲料）に浸されることがないばかりではなく、該ティーバッグＢに含まれたお茶（日本茶、紅茶その他の茶飲料）は、該ポケット４内から上記３つの透孔４ｅを通って容器本体２内に排出される（所謂湯切りがされる）。そして、上記把手３を（右手で）把持しながら、上記第１の湾曲部２ｃに口を当てながら、この飲料用容器１を傾けることにより、容器本体２内に収容されたお茶（日本茶、紅茶その他の茶飲料）が移動し飲用する。
【００２５】
この際、この実施の形態に係る飲料用容器１では、把手３の形成位置とポケット４の形成位置との関係は、上述した位置関係とされていることから、該把手３を用いて飲用する以上、必ず使用者は、上記第１の湾曲部２ｃに口を当てることとなるので、上記ポケット４内に収容されたティーバッグＢが脱落する危険性がないばかりか、該第１の湾曲部２ｃは、胴部２ｂの他の部位よりも該ポケット４から離間する方向に湾曲しているとともに、上記仕切り部４ｂの側部４ｄの上端は胴部２ｂの上端よりも低くされているので、図示しない使用者の鼻が上記仕切り部４ａの側部４ｄの上端に当たることもない。
【００２６】
したがって、この第１の実施の形態に係る飲料用容器１によれば、一度使用したティーバッグＢを置く皿等の容器がない場合であっても、同じティーバッグを数回に亘って使用することができる。なお、上記飲料用容器１の使用方法については、上記使用方法に限定されるものではなく、例えば、上記ティーバッグＢをポケット４内に収容し、上方から図示しないポットややかんからお湯を注ぎ込むことにより、該ティーバッグＢに封入された日本茶、紅茶等の茶葉からエキスが抽出されたお茶をポケット４の透孔４ｄを経て容器本体２内に流通させ、その上でお茶を飲用しても良い。
【００２７】
次に、第２の実施の形態に係る飲料用容器１１について図面を参照しながら詳細に説明する。この飲料用容器１１は、図５に示すように、容器本体１２を構成する胴部１２ｂの外側に本考案を構成するポケット１４が形成されているものである。すなわち、上記容器本体１２は、上記第１の実施の形態に係る容器本体２と同じように、底部１２ａと胴部１２ｂとから構成されているが、上記ポケット１４は、上記胴部１２ｂの外側に仕切り部１４ｂが固定されていることにより形成されている。この仕切り部１４ｂは、底部１４ｃと側部１４ｄとから構成されている。そして、この実施の形態に係る飲料用容器１１では、上記胴部１２ｂであって上記仕切り部１４ｂにより囲まれた部位には３つの開口部１２ｃが形成されている。なお、この飲料容器１１にも、上記第１の実施の形態に係る飲料容器１と同じように、把手１３が形成され、該把手１３と上記ポケット１４との配置位置の関係も同じ関係とされている。
【００２８】
したがって、上記第２の実施の形態に係る飲料用容器１１であっても、上記飲料用容器１と同じように、一度使用したティーバッグＢを置く皿等の容器がない場合であっても、同じティーバッグを数回に亘って使用することができる。また、この飲料用容器１１では、ポケット１４が容器本体１２の外側に形成されていることから、お茶を飲用する場合において、該飲料用容器１１全体を傾けても、使用者の鼻が上記仕切り部１４ｂの側部１４ｄの上端に当たることもない。
【００２９】
なお、上記飲料用容器１１では、図６に示すように、上記胴部１２ｂに形成した３つの開口部１２ｃに上記ポケット１４の内側から網体１５を配置することにより閉塞したものや、上記開口部１２ｃとして単一の比較的大きな開口部１２ｃを設け、この開口部１２ｃを閉塞するように網体１５を配置したものであっても良い。
【００３０】
またさらに、こうした網体は、図７に示すように、容器本体２２の内側に仕切り部２４ｂを固定することによりポケット２４を形成し、このポケット２４を形成する該仕切り部２４ｂの底部２４ｃに配置したものであっても良い。すなわち、この仕切り部２４は、比較的大きな図示しない開口部が形成された底部（符号は省略する。）と、側部２４ｄとから構成され、上記開口部には上記網体２５が配置されたものである。
【００３１】
上記図６及び図７に示す飲料用容器１１，２１によれば、上記第１の実施の形態に係る飲料容器１と同じように、バッグＢを何度も繰り返して使用できるばかりではなく、日本茶や紅茶などの図示しない茶葉を直接上記ポケット１４，２４内に充填し、その上からお湯を注ぐことにより、容器本体１２，２２内のお茶を飲用することも可能となる。
【図面の簡単な説明】
【００３２】
【図１】第１の実施の形態に係る飲料用容器を示す斜視図である。
【図２】図１に示す飲料用容器の平面図である。
【図３】図１に示す飲料用容器の側断面図である。
【図４】ポケットにティーバッグを収容した状態を示す側断面図である。
【図５】第２の実施の形態に係る飲料用容器を示す斜視図である。
【図６】図５に示す飲料用容器に網体を配置した飲料用容器を示す側断面図である。
【図７】ポケットを内側に形成し網体を配置した飲料用容器を示す平面図である。
【符号の説明】
【００３３】
１    飲料用容器
２    容器本体
２ａ  底部
２ｂ  胴部
３  把手
４  ポケット
４ｂ  仕切り部
４ｃ  底部
４ｅ  透孔
１１  飲料用容器
１２  容器本体
１２ａ  底部
１２ｂ  胴部
１４  ポケット
１４ｂ  仕切り部
１４ｃ  底部
１５    網体
２１    飲料用容器
２２  容器本体
２２ａ  底部
２２ｂ  胴部
２３  把手
２４  ポケット
２５  網体
Ｂ  ティーバッグ
【図１】
0003147767.tif 000003
【図２】
0003147767.tif 000004
【図３】
0003147767.tif 000005
【図４】
0003147767.tif 000006
【図５】
0003147767.tif 000007
【図６】
0003147767.tif 000008
【図７】
0003147767.tif 000009